(57)【要約】【課題】ドリルチャック本体に螺着され高剛性であると共に比較的安価に実施でき、かつドリルチャック本体の識別性機能を有するドリルチャック連結具を提供する。【解決手段】ドリルチャック連結具１はドリルチャック本体５と装置本体６間に介設される連結具であり、螺着部２と高剛性体からなる別体シャフト部３とを嵌着したものからなる。また、螺着部２にはこれを被包する被覆部材４が設けられ、被覆部材４は色違いのものからなり、ドリルチャック本体５の識別を行う。【選択図】図４
0003103671.tif 000002
【実用新案登録請求の範囲】
【請求項１】
装置本体とドリルチャック本体との間に介設される連結具であって、該連結具は、前記ドリルチャック本体側に着脱可能に螺着される螺着部と、該螺着部に嵌着されると共に前記装置本体側に装着され前記螺着部と別体のシャフト部とからなり、該シャフト部が高剛性体から形成されることを特徴とするドリルチャック連結具。
【請求項２】
前記螺着部には、ドリルチャック本体を識別する識別手段が設けられることを特徴とする請求項１に記載のドリルチャック連結具。
【請求項３】
前記識別手段が、前記螺着部を覆って装着される弾性体の被覆部材からなり、その識別機能として色違いに形成されるものからなることを特徴とする請求項２に記載のドリルチャック連結具。
【考案の詳細な説明】
【技術分野】
【０００１】
本考案は、装置本体とドリルチャック本体とを連結するために両者間に介設される連結具に係り、特に、主要素部が高剛性の部材から形成されると共に前記ドリルチャック本体の識別機能を有するものからなるドリルチャック連結具に関する。
【背景技術】
【０００２】
ドリルビット等を着脱可能に保持するドリルチャック本体は装置本体のスピンドル等に連結具等を介して連結されるものが多い。これに関する公知技術として、例えば、「特許文献１」や「特許文献２」が挙げられる。
【特許文献１】特開平９−１５５７５２（図１）
【特許文献２】特開２０００−２５４８６９（図１）
【０００３】
「特許文献１」の特開平９−１５５７８５号公報の「ドリルチャック」は、六角形状のドライバービット（連結具）を有するものであるが、このものは特に材質について主張するものではなく、ドリルチャックの識別性を有するものでもない。また、「特許文献２」の特開２０００−２５４８６９号公報の「電動工具」はネジを有する連結部を形成するものであり、この点において後記する本考案と似ているが、全体構造としては相異し、構成要素について材質の特定もなく、識別手段を有するものではない。
【考案の開示】
【考案が解決しようとする課題】
【０００４】
一方、図５は従来使用されているドリルチャック連結具の一例の概要構造を示すものである。このドリルチャック連結具１ａは、ドリルチャック本体５と装置本体６との間に介設されるものであるが、図示のように螺着部２０とシャフト部３０とが一体的構造のものからなり、同一材質の素材から形成されるものである。図示のように螺着部２０はドリルチャック本体５側に螺着されて固定保持されるが、シャフト部３０は細長く伸延するものからなり、比較的折れ易い構造のものからなる。このため、シャフト部３０は強靱の材質のものが望ましいが、前記のようにシャフト部３０は螺着部２０と一体的構造のため、シャフト部３０を強靱材にすると螺着部２０も強靱材となり、螺着部２０よりも大径の素材から螺着部２０とシャフト部３０を削り出す必要があり、切削時間がかかり材料も無駄になり、結果的にコスト高になります。また、強靱材ではねじ加工等がやり難くなり、コスト高のものとなる。一方、このドリルチャック連結具１ａは各種のドリルチャック本体５に装着されるが、識別手段を従来のものは有していない。よって、ドリルチャック連結具１ａにドリルチャック本体５の識別手段を設けると使用上極めて便利である。
【０００５】
本考案は、以上の要請に鑑みて考案されたものであり、高剛性に、かつ比較的安価に形成されると共に、ドリルチャック本体の識別手段を有するドリルチャック連結具を提供することを目的とする。
【課題を解決するための手段】
【０００６】
本考案は、以上の目的を達成するために、請求項１の考案は、装置本体とドリルチャック本体との間に介設される連結具であって、該連結具は、前記ドリルチャック本体側に着脱可能に螺着される螺着部と、該螺着部に嵌着されると共に前記装置本体側に装着され前記螺着部と別体のシャフト部とからなり、該シャフト部が高剛性体から形成されることを特徴とする。
【０００７】
また、請求項２の考案は、前記螺着部には、ドリルチャック本体を識別する識別手段が設けられることを特徴とする。
【０００８】
また、請求項３の考案は、前記識別手段が、前記螺着部を覆って装着される弾性体の被覆部材からなり、その識別機能として色違いに形成されるものからなることを特徴とする。
【考案の効果】
【０００９】
本考案の請求項１のドリルチャック連結具によれば、ドリルチャック本体側に螺着される螺着部と、シャフト部とを別体とし、作業時間の短縮と材料費の低減を可能とする。また、比較的折れ易いシャフト部を高剛性体から形成する。これにより、強靱な連結具となる。また、別体の螺着部は高剛性体にする必要がなく全体として安価に形成される。
【００１０】
また、請求項２のドリルチャック連結具によれば、識別手段を有するため、使用上、極めて便利となる。
【００１１】
また、請求項３のドリルチャック連結具によれば、識別手段として色違いの弾性体の被覆部材が用いられ、これが螺着部を覆って装置されるため螺着部の保持と共に簡便な識別性を備えることができる。また、螺着部に形成されるねじ廻し部等が露出しないため、勝手に螺着部のねじ廻しができず、安全性が確保される。
【考案を実施するための最良の形態】
【００１２】
以下、本考案のドリルチャック連結具の実施の形態を図面を参照して詳述する。図１は本考案のドリルチャック連結具の全体構造を示す断面図である。ドリルチャック連結具１は螺着部２とシャフト部３とからなる。なお、螺着部２はドリルビット７を装着するドリルチャック本体５に螺着され、螺着部２に一端側を嵌着されるシャフト部３は装置本体６に着脱可能に装着される。
【実施例１】
【００１３】
螺着部２はドリルチャック本体５側に螺着されるねじ部２ａとねじ部２ａと一体構造の取付部２ｂとからなり、材質としては特に高剛性のものでなく、普通の鋼材が使用される。また、取付部２ｂには両側を平行にカットしたスパナ掛け部２ｄが形成されると共に、シャフト部３の嵌着される嵌着穴２ｃが凹設される。一方、シャフト部３は細長のロッド体からなり、本例では嵌着穴２ｃに嵌着される六角横断面形状のものからなる。なお、途中に湾曲溝３ａを形成するものからなる。このシャフト部３は強靱な高剛性材からなり、高い曲げ剛性も捩れ剛性を有するものからなる。以上の構造によりドリルチャック連結具１は折れ易い部分のみが高価な高剛性材を使用するため、全体を高剛性部材にするものに比較して安価に形成されると共に、螺着部２の加工性がよいため、製作し易いものとなる。また、仮りにシャフト部３が折損してもこの部分のみの交換でよく、従来のように全体を交換する必要がない。なお、このドリルチャック連結具１のドリルチャック本体５への螺着は、螺着部２のスパナ掛け部２ｄにスパナをかけることにより容易に行われる。
【実施例２】
【００１４】
図４は本考案のドリルチャック連結具の別の実施例を示すものである。このドリルチャック連結具１Ａは、螺着部２とシャフト部３の構造は前記の実施例１のドリルチャック連結具１と同じであるが、被覆部材４を有する点が相違する。被覆部材４は図示のように、螺着部２の取付部２ｂを覆うと共にシャフト部３の基端部に嵌り込むキャップ状のものからなり、材質としては弾性材からなり、例えば、エラストラバからなるが、これに限定するものではない。また、被覆部材４は色違いのものからなり、この色違いによりドリルチャック本体５の形状やサイズ等の識別を行う。色違い方法としては単に一色のものでなく、各種の色の組み合わせでもよく、多種類の識別性機能を形成することができる。また、この被覆部材４は前記のように螺着部２の取付部２ｂを被包するものであり、これによりスパナ掛け部２ｄがカバーされるためスパナ掛け部２ｄが露出せず、この保護が図れると共に螺着部２の取り外しが簡単にできず、安全性の確保ができる。
【産業上の利用可能性】
【００１５】
本考案のドリルチャック連結具は、前記のようにドリルチャックの連結具として採用されているが、その他の工具の連結具としても適用可能であり、その使用範囲は広い。
【図面の簡単な説明】
【００１６】
【図１】本考案のドリルチャック連結具の全体構造を示す軸断面図。
【図２】図１のＡ−Ａ線断面図。
【図３】図１のＢ−Ｂ線断面図。
【図４】本考案のドリルチャック連結具の別の実施例を示す軸断面図。
【図５】従来のドリルチャック連結具の全体構造を示す軸断面図。
【符号の説明】
【００１７】
１    ドリルチャック連結具
１Ａ  ドリルチャック連結具
２    螺着部
２ａ  ねじ部
２ｂ  取付部
２ｃ  嵌着穴
２ｄ  スパナ掛け部
３    シャフト部
３ａ  湾曲部
４    被覆部材
５    ドリルチャック本体
６    装置本体
７    ドリルビット
【図１】
0003103671.tif 000003
【図２】
0003103671.tif 000004
【図３】
0003103671.tif 000005
【図４】
0003103671.tif 000006
【図５】
0003103671.tif 000007